(57)【特許請求の範囲】
【請求項１】
受信機に対して、ＣＲＣ乗算用データ及び非乗算用データによって構成されている送信データを送信する送信方法であって、
前記受信機を識別するための受信機識別情報と前記ＣＲＣ乗算用データとを足し合わせる工程と、
前記非ＣＲＣ乗算用データに対してＣＲＣ符号化処理を施すことによって、ＣＲＣチェックビットを生成する工程と、
足し合わされた前記受信機識別情報及び前記ＣＲＣ乗算用データと、前記ＣＲＣチェックビットとを乗算する工程と、
前記乗算結果と前記非ＣＲＣ乗算用データとを足し合わせる工程と、
足し合わされた前記乗算結果及び前記非ＣＲＣ乗算用データに対してＦＥＣ符号化処理を施すことによって、送信信号を生成する工程と、
前記受信機に対して前記送信信号を送信する工程とを有することを特徴とする送信方法。
【請求項２】
前記ＣＲＣ乗算用データは、前記送信データについてのプライオリティクラス、ＨＡＲＱのプロセスフラグ、有効期間、データサイズ、ソフトハンドオーバーフラグ、論理チャネル識別情報の少なくとも一つによって構成されていることを特徴とする請求項１に記載の送信方法。
【請求項３】
送信機から受信した信号を受信する受信方法であって、
前記送信機から受信した信号に対してＦＥＣ復号化処理を施すことによって、ＣＲＣ系列及び非ＣＲＣ乗算用データ系列を抽出する工程と、
受信機を識別するための受信機識別情報及び所定のビットパターンによって構成される複数のデータ系列を準備する工程と、
前記データ系列によって前記ＣＲＣ系列を除算することによって、ＣＲＣチェックビットを抽出する工程と、
抽出した前記ＣＲＣチェックビットを用いて、前記非ＣＲＣ乗算用データにおける誤りの有無を検出する工程と、
前記検出結果に基づいて、前記非ＣＲＣ乗算用データ及び前記ＣＲＣ系列によって構成されている送信データを再現する工程とを有することを特徴とする受信方法。
【請求項４】
請求項１又は２に記載の送信方法を用いて送信処理を行うことを特徴とする無線基地局。
【請求項５】
請求項３に記載の受信方法を用いて受信処理を行うことを特徴とする移動局。
【発明の詳細な説明】
【技術分野】
【０００１】  本発明は、受信機に対してＣＲＣ乗算用データ及び非乗算用データによって構成されている送信データを送信する送信方法、当該送信データを受信する受信方法、当該送信方法によって送信処理を行う無線基地局、及び、当該受信方法によって受信処理を行う移動局に関する。
【背景技術】
【０００２】  従来の移動通信システムでは、無線回線制御局ＲＮＣが、移動局ＵＥから無線基地局ＮｏｄｅＢに対する上りリンクにおいて、無線基地局ＮｏｄｅＢの無線リソースや、上りリンクにおける干渉量や、移動局ＵＥの送信電力や、移動局ＵＥの送信処理性能や、上位のアプリケーションが必要とする伝送速度等を鑑みて、個別チャネルの伝送速度を決定し、レイヤ３（Ｒａｄｉｏ  Ｒｅｓｏｕｒｃｅ  Ｃｏｎｔｒｏｌ  Ｌａｙｅｒ）のメッセージによって、移動局ＵＥ及び無線基地局ＮｏｄｅＢのそれぞれに対して、決定した個別チャネルの伝送速度を通知するように構成されている。【０００３】  ここで、無線回線制御局ＲＮＣは、無線基地局ＮｏｄｅＢの上位に存在し、無線基地局ＮｏｄｅＢや移動局ＵＥを制御する装置である。【０００４】  一般的に、データ通信は、音声通話やＴＶ通話と比べて、トラヒックがバースト的に発生することが多く、本来は、データ通信に用いられるチャネルの伝送速度を高速に変更することが望ましい。【０００５】  しかしながら、無線回線制御局ＲＮＣは、図１１に示すように、通常、多くの無線基地局ＮｏｄｅＢを統括して制御しているため、従来の移動通信システムでは、処理負荷や処理遅延等の理由により、高速な（例えば、１〜１００ｍｓ程度の）チャネルの伝送速度の変更制御を行うことは困難であるという問題点があった。【０００６】  また、従来の移動通信システムでは、高速なチャネルの伝送速度の変更制御を行うことができたとしても、装置の実装コストやネットワークの運用コストが大幅に高くなるという問題点があった。【０００７】  そのため、従来の移動通信システムでは、数１００ｍｓ〜数ｓオーダーでのチャネルの伝送速度の変更制御を行うのが通例である。【０００８】  したがって、従来の移動通信システムでは、図１２（ａ）に示すように、バースト的なデータ送信を行う場合、図１２（ｂ）に示すように、低速、高遅延及び低伝送効率を許容してデータを送信するか、又は、図１２（ｃ）に示すように、高速通信用の無線リソースを確保して、空き時間の無線帯域リソースや無線基地局ＮｏｄｅＢにおけるハードウエアリソースが無駄になるのを許容してデータを送信することとなる。【０００９】  ただし、図１２において、縦軸の無線リソースには、上述の無線帯域リソース及びハードウエアリソースの両方が当てはめられるものとする。【００１０】  そこで、第３世代移動通信システムの国際標準化団体である「３ＧＰＰ」及び「３ＧＰＰ２」において、無線リソースを有効利用するために、無線基地局ＮｏｄｅＢと移動局ＵＥとの間のレイヤ１及びＭＡＣサブレイヤ（レイヤ２）における高速な無線リソース制御方法が検討されてきた。以下、かかる検討又は検討された機能を総称して「上り回線エンハンスメント（ＥＵＬ：Ｅｎｈａｎｃｅｄ  Ｕｐｌｉｎｋ）」と呼ぶこととする。【００１１】  ここで、上り回線エンハンスメントでは、エンハンスト物理個別データチャネル（Ｅ−ＤＰＤＣＨ）と個別物理制御チャネル（ＤＰＣＣＨ）との送信電力の比（送信電力比）を、無線基地局から個別の移動局に送信するためのチャネル（絶対速度制御チャネル（Ｅ−ＡＧＣＨ：ＥＤＣＨ−Ａｂｓｏｌｕｔｅ  Ｇｒａｎｔ  Ｃｈａｎ���ｅｌ）が定義されている（例えば、非特許文献１参照）。【００１２】  Ｅ−ＡＧＣＨには、上述の送信電力比以外に、ＨＡＲＱのプロセス毎に当該Ｅ−ＡＧＣＨを有効とする方法と、全てのプロセスにおいて当該Ｅ−ＡＧＣＨを有効とする方法とを識別するための信号処理フラグ（Ｓｉｇｎａｌ  ｐｒｏｃｅｓｓ  ｆｌａｇ）が付与される（例えば、非特許文献２参照）。【００１３】  ここで、無線基地局は、Ｅ−ＡＧＣＨにおいて、１６ビットのＣＲＣチェックビットと、送信先の移動局の識別子（Ｅ−ＲＮＴＩ：Ｅｎｈａｎｃｅｄ−Ｒａｄｉｏ  Ｎｅｔｗｏｒｋ  Ｔｅｍｐｏｒａｒｙ  Ｉｎｄｉｃａｔｏｒ）とを乗算して、当該乗算結果を情報ビット（送信データ）に付与していた。そして、送信先の移動局（Ｅ−ＲＮＴＩによって識別される移動局）は、Ｅ−ＡＧＣＨについてＦＥＣ復号した後に、抽出したＣＲＣ系列を自局のＥ−ＲＮＴＩで除算して、ＣＲＣ誤り検出処理を行うことにより、自局に送信された信号が正しく受信できている状態を検出できる。【００１４】  しかしながら、Ｅ−ＡＧＣＨを送信することによる下りリンクへのインパクトが少なくないため、無線基地局は、限られたビット数（データサイズ）の送信データしか送ることができないという問題点があった。【００１５】  このため、Ｅ−ＡＧＣＨにマッピングする送信データ（情報ビット）を、多くても９−１０ビットとすることで、送信電力比を抑えることが推奨されている。【００１６】  しかしながら、Ｅ−ＡＧＣＨにマッピングすべき送信データは、上述のように、送信電力比や信号処理フラグ以外にも、例えば、プライオリティレベルや、ソフトハンドオーバーユーザと非ソフトハンドオーバーユーザとを分けるソフトハンドオーバーフラグや、当該Ｅ−ＡＧＣＨの有効期間等の多くの情報が考えられるため、これらをマッピングするためにはより多くの情報となり、下りリンクに与えるインパクトはより大きくなるという問題点があった。【００１７】  また、Ｅ−ＲＮＴＩは、１６ビットで構成されている、すなわち、６５，５３６個の値を取り得るように構成されているが、セル内のユーザに割り当てる移動局の識別子の数としては過剰であるという問題点があった。
【非特許文献１】３ＧＰＰ  ＴＳＧ−ＲＡＮ  ＴＳ２５．２１１  ｖ６．４．０
【非特許文献２】３ＧＰＰ  ＴＳＧ−ＲＡＮ  ＴＳ２５．３０９  ｖ６．２．０
【非特許文献３】３ＧＰＰ  Ｒ１−０５−０２１９
【発明の開示】
【００１８】  そこで、本発明は、以上の点に鑑みてなされたもので、下りリンクにおいて送信する送信データのサイズを削減して、送信電力比を抑制することによって、下りリンクにおける無線容量の減少を防ぐことが可能な送信方法、受信方法、無線基地局及び移動局を提供することを目的とする。
【００１９】  本発明の第１の特徴は、受信機に対して、ＣＲＣ乗算用データ及び非乗算用データによって構成されている送信データを送信する送信方法であって、前記受信機を識別するための受信機識別情報と前記ＣＲＣ乗算用データとを足し合わせる工程と、前記非ＣＲＣ乗算用データに対してＣＲＣ符号化処理を施すことによって、ＣＲＣチェックビットを生成する工程と、足し合わされた前記受信機識別情報及び前記ＣＲＣ乗算用データと、前記ＣＲＣチェックビットとを乗算する工程と、前記乗算結果と前記非ＣＲＣ乗算用データとを足し合わせる工程と、足し合わされた前記乗算結果及び前記非ＣＲＣ乗算用データに対してＦＥＣ符号化処理を施すことによって、送信信号を生成する工程と、前記受信機に対して前記送信信号を送信する工程とを有することを要旨とする。
【００２０】  本発明の第１の特徴において、前記ＣＲＣ乗算用データが、前記送信データについてのプライオリティクラス、ＨＡＲＱのプロセスフラグ、有効期間、データサイズ、ソフトハンドオーバーフラグ、論理チャネル識別情報の少なくとも一つによって構成されていてもよい。
【００２１】  本発明の第２の特徴は、送信機から受信した信号を受信する受信方法であって、前記送信機から受信した信号に対してＦＥＣ復号化処理を施すことによって、ＣＲＣ系列及び非ＣＲＣ乗算用データ系列を抽出する工程と、受信機を識別するための受信機識別情報及び所定のビットパターンによって構成される複数のデータ系列を準備する工程と、前記データ系列によって前記ＣＲＣ系列を除算することによって、ＣＲＣチェックビットを抽出する工程と、抽出した前記ＣＲＣチェックビットを用いて、前記非ＣＲＣ乗算用データにおける誤りの有無を検出する工程と、前記検出結果に基づいて、前記非ＣＲＣ乗算用データ及び前記ＣＲＣ系列によって構成されている送信データを再現する工程とを有することを要旨とする。
【図面の簡単な説明】
【００２２】
【図１】図１は、本発明の第１の実施形態に係る移動通信システムの移動局の機能ブロック図である。
【図２】図２は、本発明の第１の実施形態に係る移動通信システムの移動局におけるベースバンド信号処理部の機能ブロック図である。
【図３】図３は、本発明の第１の実施形態に係る移動通信システムの移動局におけるベースバンド信号処理部のＭＡＣ−ｅ処理部の機能ブロック図である。
【図４】図４は、本発明の第１の実施形態に係る移動通信システムの無線基地局の機能ブロック図である。
【図５】図５は、本発明の第１の実施形態に係る移動通信システムの無線基地局におけるベースバンド信号処理部の機能ブロック図である。
【図６】図６は、本発明の第１の実施形態に係る移動通信システムの無線基地局のベースバンド信号処理部におけるＭＡＣ−ｅ及びレイヤ１処理部（上りリンク用構成）の機能ブロック図である。
【図７】図７は、本発明の第１の実施形態に係る移動通信システムの無線基地局のベースバンド信号処理部におけるＭＡＣ−ｅ及びレイヤ１処理部（上りリンク用構成）のＭＡＣ−ｅ機能部の機能ブロック図である。
【図８】図８は、本発明の第１の実施形態に係る移動通信システムの無線回線制御局の機能ブロック図である。
【図９】図９は、本発明の第１の実施形態に係る移動通信システムにおける送信処理動作を説明するための図である。
【図１０】図１０は、本発明の第１の実施形態に係る移動通信システムにおける受信処理動作を説明するための図である。
【図１１】図１１は、一般的な移動通信システムの全体構成図である。
【図１２】図１２（ａ）乃至（ｃ）は、従来の移動通信システムにおいて、バースト的なデータを送信する際の動作を説明するための図である。
【発明を実施するための最良の形態】
【００２３】（本発明の第１の実施形態に係る移動通信システム）
図１乃至図８を参照して、本発明の第１の実施形態に係る移動通信システムの構成について説明する。なお、本実施形態に係る移動通信システムは、図１１に示すように、複数の無線基地局ＮｏｄｅＢ＃１乃至＃５と、無線回線制御局ＲＮＣとを具備している。【００２４】  また、本実施形態に係る移動通信システムでは、下りリンクにおいて「ＨＳＤＰＡ」が用いられており、上りリンクにおいて「ＥＵＬ（上り回線エンハンスメント）」が用いられている。なお、「ＨＳＤＰＡ」及び「ＥＵＬ」において、ＨＡＲＱによる再送制御（Ｎプロセスストップアンドウエイト）が行われるものとする。【００２５】  したがって、上りリンクにおいて、エンハンスト個別物理データチャネル（Ｅ−ＤＰＤＣＨ）及びエンハンスト個別物理制御チャネル（Ｅ−ＤＰＣＣＨ）から構成されるエンハンスト個別物理チャネル（Ｅ−ＤＰＣＨ）と、個別物理データチャネル（ＤＰＤＣＨ：Ｄｅｄｉｃａｔｅｄ  Ｐｈｙｓｉｃａｌ  Ｄａｔａ  Ｃｈａｎｎｅｌ）及び個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）から構成される個別物理チャネル（ＤＰＣＨ）とが用いられている。【００２６】  ここで、エンハンスト個別物理制御チャネル（Ｅ−ＤＰＣＣＨ）は、Ｅ−ＤＰＤＣＨの送信フォーマット（送信ブロックサイズ等）を規定するための送信フォーマット番号や、ＨＡＲＱに関する情報（再送回数等）や、スケジューリングに関する情報（移動局ＵＥにおける送信電力やバッファ滞留量等）等のＥＵＬ用制御データを送信する。【００２７】  また、エンハンスト個別物理データチャネル（Ｅ−ＤＰＤＣＨ）は、エンハンスト個別物理制御チャネル（Ｅ−ＤＰＣＣＨ）にマッピングされており、当該エンハンスト個別物理制御チャネル（Ｅ−ＤＰＣＣＨ）で送信されるＥＵＬ用制御データに基づいて、移動局ＵＥ用のユーザデータを送信する。【００２８】  個別物理制御チャネル（ＤＰＣＣＨ）は）ＲＡＫＥ合成やＳＩＲ測定等に用いられるパイロットシンボルや、上り個別物理データチャネル（ＤＰＤＣＨ）の送信フォーマットを識別するためのＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）や、下りリンクにおける送信電力制御ビット等の制御データを送信する。【００２９】  また、個別物理データチャネル（ＤＰＤＣＨ）は、個別物理制御チャネル（ＤＰＣＣＨ）にマッピングされており、当該個別物理制御チャネル（ＤＰＣＣＨ）で送信される制御データに基づいて、移動局ＵＥ用のユーザデータを送信する。ただし、移動局ＵＥにおいて送信すべきユーザデータが存在しない場合には、個別物理データチャネル（ＤＰＤＣＨ）は送信されないように構成されていてもよい。【００３０】  また、上りリンクでは、ＨＳＰＤＡが適用されている場合に必要な高速個別物理制御チャネル（ＨＳ−ＤＰＣＣＨ：Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）も用いられている。【００３１】  高速個別物理制御チャネル（ＨＳ−ＤＰＣＣＨ）は、下り品質識別子（ＣＱＩ：Ｃｈａｎｎｅｌ  Ｑｕａｌｉｔｙ  Ｉｎｄｉｃａｔｏｒ）や、高速個別物理データチャネル用送達確認信号（Ａｃｋ又はＮａｃｋ）を送信する。【００３２】  図１に示すように、本実施形態に係る移動局ＵＥは、バスインターフェース３１と、呼処理部３２と、ベースバンド処理部３３と、ＲＦ部３４と、送受信アンテナ３５とを具備している。【００３３】  ただし、かかる機能は、ハードウエアとして独立して存在していてもよいし、一部又は全部が一体化していてもよいし、ソフトウエアのプロセスによって構成されていてもよい。【００３４】  バスインターフェース３１は、呼処理部３２から出力されたユーザデータを他の機能部（例えば、アプリケーションに関する機能部）に転送するように構成されている。また、バスインターフェース３１は、他の機能部（例えば、アプリケーションに関する機能部）から送信されたユーザデータを呼処理部３２に転送するように構成されている。【００３５】  呼処理部３２は、ユーザデータを送受信するための呼制御処理を行うように構成されている。【００３６】  ベースバンド信号処理部３３は、ＲＦ部３４から送信されたベースバンド信号に対して、逆拡散処理やＲＡＫＥ合成処理やＦＥＣ復号処理を含むレイヤ１処理と、ＭＡＣ−ｅ処理やＭＡＣ−ｄ処理を含むＭＡＣ処理と、ＲＬＣ処理とを施して取得したユーザデータを呼処理部３２に送信するように構成されている。【００３７】  また、ベースバンド信号処理部３３は、呼処理部３２から送信されたユーザデータに対してＲＬＣ処理やＭＡＣ処理やレイヤ１処理を施してベースバンド信号を生成してＲＦ部３４に送信するように構成されている。【００３８】  なお、ベースバンド信号処理部３３の具体的な機能については後述する。ＲＦ部３４は、送受信アンテナ３５を介して受信した無線周波数帯の信号に対して、検波処理やフィルタリング処理や量子化処理等を施してベースバンド信号を生成して、ベースバンド信号処理部３３に送信するように構成されている。また、ＲＦ部３４は、ベースバンド信号処理部３３から送信されたベースバンド信号を無線周波数帯の信号に変換するように構成されている。【００３９】  図２に示すように、ベースバンド信号処理部３３は、ＲＬＣ処理部３３ａと、ＭＡＣ−ｄ処理部３３ｂと、ＭＡＣ−ｅ処理部３３ｃと、レイヤ１処理部３３ｄとを具備している。【００４０】  ＲＬＣ処理部３３ａは、呼処理部３２から送信されたユーザデータに対して、レイヤ２の上位レイヤにおける処理（ＲＬＣ処理）を施して、ＭＡＣ−ｄ処理部３３ｂに送信するように構成されている。【００４１】  ＭＡＣ−ｄ処理部３３ｂは、チャネル識別子ヘッダを付与し、上りリンクにおける送信電力の限度に基づいて、上りリンクにおける送信フォーマットを作成するように構成されている。【００４２】  図３に示すように、ＭＡＣ−ｅ処理部３３ｃは、Ｅ−ＴＦＣ選択部３３ｃ１と、ＨＡＲＱ処理部３３ｃ２とを具備している。【００４３】  Ｅ−ＴＦＣ選択部３３ｃ１は、無線基地局ＮｏｄｅＢから送信されたスケジューリング信号（絶対速度制御チャネル（Ｅ−ＡＧＣＨ）や相対速度制御チャネル（Ｅ−ＲＧＣＨ）等）に基づいて、エンハンスト個別物理データチャネル（Ｅ−ＤＰＤＣＨ）の送信フォーマット（Ｅ−ＴＦＣ）を決定するように構成されている。【００４４】  ま���、Ｅ−ＴＦＣ選択部３３ｃ１は、決定した送信フォーマットについての送信フォーマット情報（送信データブロックサイズや、エンハンスト個別物理データチャネル（Ｅ−ＤＰＤＣＨ）と個別物理制御チャネル（ＤＰＣＣＨ）との送信電力比等）をレイヤ１処理部３３ｄに送信すると共に、決定した送信フォーマット情報を、ＨＡＲＱ処理部３３ｃ２に送信する。【００４５】  かかるスケジューリング信号は、当該移動局ＵＥが在圏しているセルにおいて報知されている情報であり、当該セルに在圏している全ての移動局、又は、当該セルに在圏している特定グループの移動局に対する制御情報を含む。【００４６】  ＨＡＲＱ処理部３３ｃ２は、「Ｎプロセスのストップアンドウエイト」のプロセス管理を行い、無線基地局ＮｏｄｅＢから受信される送達確認信号（上りデータ用のＡｃｋ／Ｎａｃｋ）に基づいて、上りリンクにおけるユーザデータの伝送を行うように構成されている。【００４７】  具体的には、ＨＡＲＱ処理部３３ｃ２は、レイヤ１処理部３３ｄから入力されたＣＲＣ結果に基づいて下りユーザデータの受信処理が成功したか否かについて判定する。そして、ＨＡＲＱ処理部３３ｃ２は、かかる判定結果に基づいて送達確認信号（下りユーザデータ用のＡｃｋ又はＮａｃｋ）を生成して、レイヤ１処理部３３ｄに送信する。また、ＨＡＲＱ処理部３３ｃ２は、上述の判定結果がＯＫであった場合、レイヤ１処理部３３ｄから入力された下りユーザデータをＭＡＣ−ｄ処理部３３ｄに送信する。【００４８】  図４に示すように、本実施形態に係る無線基地局ＮｏｄｅＢは、ＨＷＹインターフェース１１と、ベースバンド信号処理部１２と、呼制御部１３と、１つ又は複数の送受信部１４と、１つ又は複数のアンプ部１５と、１つ又は複数の送受信アンテナ１６とを備える。【００４９】  ＨＷＹインターフェース１１は、無線回線制御局ＲＮＣとのインターフェースである。具体的には、ＨＷＹインターフェース１１は、無線回線制御局ＲＮＣから、下りリンクを介して移動局ＵＥに送信するユーザデータを受信して、ベースバンド信号処理部１２に入力するように構成されている。また、ＨＷＹインターフェース１１は、無線回線制御局ＲＮＣから、無線基地局ＮｏｄｅＢに対する制御データを受信して、呼制御部１３に入力するように構成されている。【００５０】  また、ＨＷＹインターフェース１１は、ベースバンド信号処理部１２から、上りリンクを介して移動局ＵＥから受信した上りリンク信号に含まれるユーザデータを取得して、無線回線制御局ＲＮＣに送信するように構成されている。さらに、ＨＷＹインターフェース１１は、無線回線制御局ＲＮＣに対する制御データを呼制御部１３から取得して、無線回線制御局ＲＮＣに送信するように構成されている。【００５１】  ベースバンド信号処理部１２は、ＨＷＹインターフェース１１から取得したユーザデータに対して、ＭＡＣ−ｅ処理やレイヤ１処理を施してベースバンド信号を生成して、送受信部１４に転送するように構成されている。【００５２】  ここで、下りリンクにおけるＭＡＣ−ｅ処理には、ＨＡＲＱ処理やスケジューリング処理や伝送速度制御処理等が含まれる。また、下りリンクにおけるレイヤ１処理には、ユーザデータのチャネル符号化処理や拡散処理等が含まれる。【００５３】  また、ベースバンド信号処理部１２は、送受信部１４から取得したベースバンド信号に対して、レイヤ１処理やＭＡＣ−ｅ処理を施してユーザデータを抽出して、ＨＷＹインターフェース１１に転送するように構成されている。【００５４】  ここで、上りリンクにおけるＭＡＣ−ｅ処理には、ＨＡＲＱ処理やスケジューリング処理や伝送速度制御処理やヘッダ廃棄処理等が含まれる。また、上りリンクにおけるレイヤ１処理には、逆拡散処理やＲＡＫＥ合成処理や誤り訂正復号処理等が含まれる。【００５５】  なお、ベースバンド信号処理部１２の具体的な機能については後述する。また、呼制御部１３は、ＨＷＹインターフェース１１から取得した制御データに基づいて呼制御処理を行うものである。【００５６】  送受信部１４は、ベースバンド信号処理部１２から取得したベースバンド信号を無線周波数帯の信号（下りリンク信号）に変換する処理を施してアンプ部１５に送信するように構成されている。また、送受信部１４は、アンプ部１５から取得した無線周波数帯の信号（上りリンク信号）をベースバンド信号に変換する処理を施してベースバンド信号処理部１２に送信するように構成されている。【００５７】  アンプ部１５は、送受信部１４から取得した下りリンク信号を増幅して、送受信アンテナ１６を介して移動局ＵＥに送信するように構成されている。また、アンプ部１５は、送受信アンテナ１６によって受信された上りリンク信号を増幅して、送受信部１４に送信するように構成されている。【００５８】  図５に示すように、ベースバンド信号処理部１２は、ＭＡＣ−ｅ及びレイヤ１処理部１２３を具備している。【００５９】  ＭＡＣ−ｅ及びレイヤ１処理部１２３は、送受信部１４から取得したベースバンド信号に対して、逆拡散処理やＲＡＫＥ合成処理や誤り訂正復号処理やＨＡＲＱ処理等を行うように構成されている。【００６０】  ただし、これらの機能は、ハードウエアで明確に分けられておらず、ソフトウエアによって実現されていてもよい。【００６１】  図６に示すように、ＭＡＣ−ｅ及びレイヤ１処理部（上りリンク用構成）１２３は、ＤＰＣＣＨ  ＲＡＫＥ部１２３ａと、ＤＰＤＣＨ  ＲＡＫＥ部１２３ｂと、Ｅ−ＤＰＣＣＨ  ＲＡＫＥ部１２３ｃと、Ｅ−ＤＰＤＣＨ  ＲＡＫＥ部１２３ｄと、ＨＳ−ＤＰＣＣＨ  ＲＡＫＥ部１２３ｅと、ＴＦＣＩデコーダ部１２３ｇと、バッファ１２３ｈ、１２３ｍと、再逆拡散部１２３ｉ、１２３ｎと、ＦＥＣデコーダ部１２３ｊ、１２３ｐと、Ｅ−ＤＰＣＣＨデコーダ部１２３ｋと、ＭＡＣ−ｅ機能部１２３ｌと、ＨＡＲＱバッファ１２３ｏと、ＭＡＣ−ｈｓ機能部１２３ｑとを具備している。【００６２】  Ｅ−ＤＰＣＣＨ  ＲＡＫＥ部１２３ｃは、送受信部１４から送信されたベースバンド信号内のエンハンスト個別物理制御チャネル（Ｅ−ＤＰＣＣＨ）に対して、逆拡散処理と、個別物理制御チャネル（ＤＰＣＣＨ）に含まれているパイロットシンボルを用いたＲＡＫＥ合成処理を施すように構成されている。【００６３】  Ｅ−ＤＰＣＣＨデコーダ部１２３ｋは、Ｅ−ＤＰＣＣＨ  ＲＡＫＥ部１２３ｃのＲＡＫＥ合成出力に対して復号処理を施して、送信フォーマット番号やＨＡＲＱに関する情報やスケジューリングに関する情報等を取得してＭＡＣ−ｅ機能部１２３ｌに入力するように構成されている。【００６４】  Ｅ−ＤＰＤＣＨ  ＲＡＫＥ部１２３ｄは、送受信部１４から送信されたベースバンド信号内のエンハンスト個別物理データチャネル（Ｅ−ＤＰＤＣＨ）に対して、ＭＡＣ−ｅ機能部１２３ｌから送信された送信フォーマット情報（コード数）を用いた逆拡散処理と、個別物理制御チャネル（ＤＰＣＣＨ）に含まれているパイロットシンボルを用いたＲＡＫＥ合成処理を施すように構成されている。【００６５】  バッファ１２３ｍは、ＭＡＣ−ｅ機能部１２３ｌから送信された送信フォーマット情報（シンボル数）に基づいて、Ｅ−ＤＰＤＣＨ  ＲＡＫＥ部１２３ｄのＲＡＫＥ合成出力を蓄積するように構成されている。【００６６】  再逆拡散部１２３ｎは、ＭＡＣ−ｅ機能部１２３ｌから送信された送信フォーマット情報（拡散率）に基づいて、バッファ１２３ｍに蓄積されているＥ−ＤＰＤＣＨ  ＲＡＫＥ部１２３ｄのＲＡＫＥ合成出力に対して、逆拡散処理を施すように構成されている。【００６７】  ＨＡＲＱバッファ１２３ｏは、ＭＡＣ−ｅ機能部１２３ｌから送信された送信フォーマット情報に基づいて、再逆拡散部１２３ｎの逆拡散処理出力を蓄積するように構成されている。【００６８】  ＦＥＣデコーダ部１２３ｐは、ＭＡＣ−ｅ機能部１２３ｌから送信された送信フォーマット情報（送信データブロックサイズ）に基づいて、ＨＡＲＱバッファ１２３ｏに蓄積されている再逆拡散部１２３ｎの逆拡散処理出力に対して、誤り訂正復号処理（ＦＥＣ復号処理）を施すように構成されている。【００６９】  ＭＡＣ−ｅ機能部１２３ｌは、Ｅ−ＤＰＣＣＨデコーダ部１２３ｋから取得した送信フォーマット番号やＨＡＲＱに関する情報やスケジューリングに関する情報等に基づいて、送信フォーマット情報（コード数やシンボル数や拡散率や送信データブロックサイズ等）を算出して出力するように構成されている。【００７０】  また、ＭＡＣ−ｅ機能部１２３ｌは、図７に示すように、受信処理命令部１２３ｌ１と、ＨＡＲＱ管理部１２３ｌ２と、スケジューリング部１２３ｌ３とを具備している。【００７１】  受信処理命令部１２３ｌ１は、Ｅ−ＤＰＣＣＨデコーダ部１２３ｋから入力された送信フォーマット番号やＨＡＲＱに関する情報やスケジューリングに関する情報を、ＨＡＲＱ管理部１２３ｌ２に送信するように構成されている。【００７２】  また、受信処理命令部１２３ｌ１は、Ｅ−ＤＰＣＣＨデコーダ部１２３ｋから入力されたスケジューリングに関する情報を、スケジューリング部１２３ｌ３に送信するように構成されている。【００７３】  さらに、受信処理命令部１２３ｌ１は、Ｅ−ＤＰＣＣＨデコーダ部１２３ｋから入力された送信フォーマット番号に対応する送信フォーマット情報を出力するように構成されている。【００７４】  ＨＡＲＱ管理部１２３ｌ２は、ＦＥＣデコーダ部１２３ｐから入力されたＣＲＣ結果に基づいて、上りユーザデータの受信処理が成功したか否かについて判定する。そして、ＨＡＲＱ管理部１２３ｌ２は、かかる判定結果に基づいて送達確認信号（Ａｃｋ又はＮａｃｋ）を生成して、ベースバンド信号処理部１２の��りリンク用構成に送信する。また、ＨＡＲＱ管理部１２３ｌ２は、上述の判定結果がＯＫであった場合、ＦＥＣデコーダ部１２３ｐから入力された上りユーザデータを無線回線制御局ＲＮＣに送信する。【００７５】  また、ＨＡＲＱ管理部１２３ｌ２は、上述の判定結果がＯＫである場合には、ＨＡＲＱバッファ１２３ｏに蓄積されている軟判定情報をクリアする。一方、ＨＡＲＱ管理部１２３ｌ２は、上述の判定結果がＮＧである場合には、ＨＡＲＱバッファ１２３ｏに、上りユーザデータを蓄積する。【００７６】  また、ＨＡＲＱ管理部１２３ｌ２は、上述の判定結果を受信処理命令部１２３ｌ１に転送し、受信処理命令部１２３ｌ１は、受信した判定結果に基づいて、次のＴＴＩに備えるべきハードウエアリソースをＥ−ＤＰＤＣＨ  ＲＡＫＥ部１２３ｄ及びバッファ１２３ｍに通知し、ＨＡＲＱバッファ１２３ｏにおけるリソース確保のための通知を行う。【００７７】  また、受信処理命令部１２３ｌ１は、バッファ１２３ｍ及びＦＥＣデコーダ部１２３ｐに対して、ＴＴＩ毎に、バッファ１２３ｍに蓄積されている上りユーザデータがある場合には、ＨＡＲＱバッファ１２３ｏに蓄積されている当該ＴＴＩに該当するプロセスにおける上りユーザデータと新規に受信した上りユーザデータとを加算した後に、ＦＥＣ復号処理を行うように、ＨＡＲＱバッファ１２３ｏ及びＦＥＣデコーダ部１２３ｐに指示する。【００７８】  スケジューリング部１２３ｌ３は、下りリンク用構成を介して、スケジューリング信号（絶対速度制御チャネル（Ｅ−ＡＧＣＨ）や相対速度制御チャネル（Ｅ−ＲＧＣＨ）等）を送信するように構成されている。【００７９】  本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。【００８０】  図８に示すように、本実施形態に係る無線回線制御局ＲＮＣは、交換局インターフェース５１と、ＲＬＣレイヤ処理部５２と、ＭＡＣレイヤ処理部５３と、メディア信号処理部５４と、無線基地局インターフェース５５と、呼制御部５６とを具備している。【００８１】  交換局インターフェース５１は、交換局１とのインターフェースである。交換局インターフェース５１は、交換局１から送信された下りリンク信号をＲＬＣレイヤ処理部５２に転送し、ＲＬＣレイヤ処理部５２から送信された上りリンク信号を交換局１に転送するように構成されている。【００８２】  ＲＬＣレイヤ処理部５２は、シーケンス番号等のヘッダ又はトレーラの合成処理等のＲＬＣ（無線リンク制御：Ｒａｄｉｏ  Ｌｉｎｋ  Ｃｏｎｔｒｏｌ）サブレイヤ処理を施すように構成されている。ＲＬＣレイヤ処理部５２は、ＲＬＣサブレイヤ処理を施した後、上りリンク信号については交換局インターフェース５１に送信し、下りリンク信号についてはＭＡＣレイヤ処理部５３に送信するように構成されている。【００８３】  ＭＡＣレイヤ処理部５３は、優先制御処理やヘッダ付与処理等のＭＡＣレイヤ処理を施すように構成されている。ＭＡＣレイヤ処理部５３は、ＭＡＣレイヤ処理を施した後、上りリンク信号についてはＲＬＣレイヤ処理部５２に送信し、下りリンク信号については��線基地局インターフェース５５（又は、メディア信号処理部５４）に送信するように構成されている。【００８４】  メディア信号処理部５４は、音声信号やリアルタイムの画像信号に対して、メディア信号処理を施すように構成されている。メディア信号処理部５４は、メディア信号処理を施した後、上りリンク信号についてはＭＡＣレイヤ処理部５３に送信し、下りリンク信号については無線基地局インターフェース５５に送信するように構成されている。【００８５】  無線基地局インターフェース５５は、無線基地局ＮｏｄｅＢとのインターフェースである。無線基地局インターフェース５５は、無線基地局ＮｏｄｅＢから送信された上りリンク信号をＭＡＣレイヤ処理部５３（又は、メディア信号処理部５４）に転送し、ＭＡＣレイヤ処理部５３（又は、メディア信号処理部５４）から送信された下りリンク信号を無線基地局ＮｏｄｅＢに転送するように構成されている。【００８６】  呼制御部５６は、無線リソース管理処理や、レイヤ３シグナリングによるチャネルの設定及び開放処理等を施すように構成されている。ここで、無線リソース管理には、呼受付制御やハンドオーバー制御等が含まれる。【００８７】  図９を参照して、本発明の第１の実施形態に係る移動通信システムの動作について説明する。なお、図９に、無線基地局ＮｏｄｅＢにおける送信処理について示し、図１０に、移動局ＵＥにおける受信処理について示す。【００８８】  図９に示すように、ステップＳ１０１において、無線基地局ＮｏｄｅＢは、送信先の移動局ＵＥ（受信機）を識別するためのＥ−ＲＮＴＩ（受信機識別情報）と、ＣＲＣ乗算用データとを足し合わせることによって、ＣＲＣチェックビットと同数（又は、ＣＲＣチェックビットよりも少ない数）のデータ系列Ａを生成する。【００８９】  ステップＳ１０２において、無線基地局ＮｏｄｅＢは、非ＣＲＣ乗算用データに対してＣＲＣ符号化処理を施すことによって、ＣＲＣチェックビットを生成する。【００９０】  ステップＳ１０３において、無線基地局ＮｏｄｅＢは、データ系列Ａ（足し合わされたＥ−ＲＮＴＩ（受信機識別情報）及びＣＲＣ乗算用データ）とＣＲＣチェックビットとを乗算することによって、データ系列Ｂを生成する。【００９１】  ステップＳ１０４において、無線基地局ＮｏｄｅＢは、データ系列Ｂ（乗算結果）と非ＣＲＣ乗算用データとを足し合わせる、すなわち、非ＣＲＣ乗算用データにデータ系列Ｂを付与することによって、Ｅ−ＡＧＣＨ送信データ系列を生成する。【００９２】  ステップＳ１０５において、無線基地局ＮｏｄｅＢは、Ｅ−ＡＧＣＨ送信データ系列（足し合わされた乗算結果及び非ＣＲＣ乗算用データ）に対してＦＥＣ符号化処理を施すことによって、送信信号を生成する。【００９３】  ステップＳ１０６において、無線基地局ＮｏｄｅＢは、移動局ＵＥ（受信機）に対して送信信号を送信する。【００９４】  なお、上述のＣＲＣ乗算用データは、送信データについてのプライオリティクラス、ＨＡＲＱのプロセスフラグ、有効期間、データサイズ、ソフトハンドオーバーフラグ、論理チャネル識別情報の少なくとも一つによって構成されている。【００９５】  図１０に示すように、ステップＳ２０１において、��動局ＵＥは、無線基地局ＮｏｄｅＢ（送信機）から受信した信号に対してＦＥＣ復号化処理を施すことによって、ＣＲＣ系列及び非ＣＲＣ乗算用データ系列を抽出する。【００９６】  ステップＳ２０２において、移動局ＵＥは、当該移動局ＵＥを識別するためのＥ−ＲＮＴＩ（受信機識別情報）及び所定のビットパターン（すなわち、取り得る全てのビットパターン）（１）〜（Ｎ）によって構成される複数のデータ系列Ｃを準備する。【００９７】  ステップＳ２０３において、移動局ＵＥは、データ系列ＣによってＣＲＣ系列を除算することによって、ＣＲＣチェックビットを抽出する。【００９８】  ステップＳ２０４において、移動局ＵＥは、抽出したＣＲＣチェックビットを用いて、非ＣＲＣ乗算用データにおける誤りの有無を検出する（ＣＲＣチェックを行う）。【００９９】  ステップＳ２０５及びＳ２０６において、移動局ＵＥは、検出結果に基づいて、非ＣＲＣ乗算用データ及びＣＲＣ系列によって構成されている送信データを再現する。【０１００】  具体的には、ＣＲＣチェック結果がＮＧである場合、移動局ＵＥは、ＣＲＣ乗算用データ部分に異なるビットパターンを用いて、ＣＲＣチェック結果がＯＫとなるまで同様の処理を繰り返す。【０１０１】  移動局ＵＥは、ＲＣチェック結果がＯＫとなった場合のＣＲＣ乗算用データ及び非ＣＲＣ乗算用データを、自局宛ての送信データとして受信する。【０１０２】  本実施形態に係る移動通信システムによれば、無線基地局ＮｏｄｅＢが、ＣＲＣチェックビットに対して、Ｅ−ＲＮＴＩだけではなく他の情報要素も合わせて乗算してＦＥＣ符号化処理を行い、移動局ＵＥが、それらの情報要素の取り得る値を全て仮定してＣＲＣチェックビットから除算して、それぞれのビットパターンのＣＲＣチェックビットによる誤り検出を行うことにより、情報要素の一部をＣＲＣチェックビットに重ね合わせた上での送信が可能となり、送信ビットの削減が実現できる。【０１０３】  以上、本発明を実施例により詳細に説明したが、当業者にとっては、本発明が本願中に説明した実施例に限定されるものではないということは明らかである。本発明の装置は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【産業上の利用可能性】
【０１０４】  以上説明したように、本発明によれば、下りリンクにおいて送信する送信データのサイズを削減して、送信電力比を抑制することによって、下りリンクにおける無線容量の減少を防ぐことが可能な送信方法、受信方法、無線基地局及び移動局を提供することができる。
【図１】
0004547421.tif 000002
【図２】
0004547421.tif 000003
【図３】
0004547421.tif 000004
【図４】
0004547421.tif 000005
【図５】
0004547421.tif 000006
【図６】
0004547421.tif 000007
【図７】
0004547421.tif 000008
【図８】
0004547421.tif 000009
【図９】
0004547421.tif 000010
【図１０】
0004547421.tif 000011
【図１１】
0004547421.tif 000012
【図１２】
0004547421.tif 000013